(57)【要約】【課題】木のもつ温もりや香気等を有し、且つ浴槽そのものを交換することなく新品同様の状態にすることができる浴槽の提供。【解決手段】浴槽１は、耐久性、耐腐食性、熱硬化性を有するフェノール樹脂から成る浴槽本体２と、浴槽本体２の表面を被覆する檜材からなる被覆部材３、４等から構成されている。被覆部材３、４、手摺本体４１がヒノキ材で構成されているため、檜風呂のような外観を有している。しかも、浴槽１を使用すると、檜風呂に浸かっているかのような木の温もり、香気を得ることができる。浴槽１は被覆部材３、４を交換するだけで、浴槽そのものを交換することなく新品同様の状態にすることができる。【選択図】        図２
2014079484.tif 000002
【特許請求の範囲】
【請求項１】
耐久性、耐腐食性を有する材料から成る浴槽本体と、前記浴槽本体の表面を被覆する木製の被覆部材と、前記被覆部材を浴槽本体に着脱可能に取付ける被覆部材取付手段とによって構成されていることを特徴とする浴槽。
【請求項２】
請求項１に記載した浴槽において、被覆部材取付手段は、被覆部材の上側差込み部と、浴槽本体側に設けられ前記上側差込み部が差し込まれる上側溝部と、前記被覆部材の下端部と浴槽本体側のいずれか一方側に設けられた下側差込み部と、他方側に設けられた下側溝部とから成り、前記上側差込み部が前記上側溝部に対し下側から差し込まれ、且つ前記下側差込み部が前記下側溝部に差し込まれて、被覆部材を浴槽本体に取り付けるものであり、前記上側差込み部が上側溝部に差し込まれた状態で、前記上側差込み部の上方には空間部が形成され、前記空間部の上下方向の寸法は、前記下側差込み部が前記下側溝部に差し込まれている部分の上下方向の寸法より大きく、しかも前記被覆部材を持ち上げて、前記下側差込み部を前記下側溝部から抜いた状態で、前記下側差込み部を前記下側溝部との対向位置から外すことができるように前記上側差込み部を前記上側溝部との間にガタがあることを特徴とする浴槽。
【請求項３】
請求項１または２に記載した浴槽において、浴槽本体と被覆部材との間には隙間が形成されており、前記隙間に連通し、且つ下方へ抜ける開放部が形成されていることを特徴とする浴槽。
【請求項４】
請求項２または３に記載した浴槽において、浴槽本体の上端部には手摺部が取り付けられており、前記手摺部に上側溝部が形成されていることを特徴とする浴槽。
【請求項５】
請求項１から４のいずれかに記載した浴槽において、浴槽本体側に設けられた下側差込み部または下側溝部には水平方向へ延びるグレーチング支持部が設けられていることを特徴とする浴槽。
【発明の詳細な説明】
【技術分野】
【０００１】
本発明は浴槽に関するものである。
【背景技術】
【０００２】
浴槽は、合成樹脂製、ステンレス製等によって構成されたものがあり、これらは高い耐久性、耐腐食性を有するという長所をもっている。
また、浴槽には特許文献１に示す木製のものもあり、この木製浴槽は木のもつ温もりや香気等が好まれ、昔から根強い人気がある。
【先行技術文献】
【特許文献】
【０００３】
【特許文献１】特開平６−３８８９３号公報
【発明の概要】
【発明が解決しようとする課題】
【０００４】
しかしながら、木製浴槽は合成樹脂製等のものと比べて耐久性、耐腐食性に劣るという欠点があり、使用環境によっては３〜５年という短い期間で交換を余儀なくされる場合もある。浴槽を新しいものと交換する場合には、古い浴槽を撤去し、新しい浴槽を運び込み、さらに新しい浴槽に給排水の配管を繋ぎ直すなどの工事が必要となり、新しい浴槽の費用だけでなく、工事の手間と費用が必要となる問題がある。
【０００５】
本発明は上記従来の問題に着目して為されたものであり、木のもつ温もりや香気等を有し、且つ浴槽そのものを交換することなく新品同様の状態にすることができる浴槽の提供を、その目的とする。
【課題を解決するための手段】
【０００６】
本発明は上記課題を解決するためになされたものであり、請求項１の発明は、耐久性、耐腐食性を有する材料から成る浴槽本体と、前記浴槽本体の表面を被覆する木製の被覆部材と、前記被覆部材を浴槽本体に着脱可能に取付ける被覆部材取付手段とによって構成されていることを特徴とする浴槽である。
【０００７】
請求項２の発明は、請求項１に記載した浴槽において、被覆部材取付手段は、被覆部材の上側差込み部と、浴槽本体側に設けられ前記上側差込み部が差し込まれる上側溝部と、前記被覆部材の下端部と浴槽本体側のいずれか一方側に設けられた下側差込み部と、他方側に設けられた下側溝部とから成り、前記上側差込み部が前記上側溝部に対し下側から差し込まれ、且つ前記下側差込み部が前記下側溝部に差し込まれて、被覆部材を浴槽本体に取り付けるものであり、前記上側差込み部が上側溝部に差し込まれた状態で、前記上側差込み部の上方には空間部が形成され、前記空間部の上下方向の寸法は、前記下側差込み部が前記下側溝部に差し込まれている部分の上下方向の寸法より大きく、しかも前記被覆部材を持ち上げて、前記下側差込み部を前記下側溝部から抜いた状態で、前記下側差込み部を前記下側溝部との対向位置から外すことができるように前記上側差込み部を前記上側溝部との間にガタがあることを特徴とする浴槽である。
【０００８】
請求項３の発明は、請求項１または２に記載した浴槽において、浴槽本体と被覆部材との間には隙間が形成されており、前記隙間に連通し、且つ下方へ抜ける開放部が形成されていることを特徴とする浴槽である。
【０００９】
請求項４の発明は、請求項２または３に記載した浴槽において、浴槽本体の上端部には手摺部が取り付けられており、前記手摺部に上側溝部が形成されていることを特徴とする浴槽である。
【００１０】
請求項５の発明は、請求項１から４のいずれかに記載した浴槽において、浴槽本体側に設けられた下側差込み部または下側溝部には水平方向へ延びるグレーチング支持部が設けられていることを特徴とする浴槽である。
【発明の効果】
【００１１】
本発明によれば、木の持つ温もりや香気等を有し、且つ浴槽自体を交換することなく新品同様の状態にすることができる。
【図面の簡単な説明】
【００１２】
【図１】本発明の実施の形態に係る浴槽の斜視図である。
【図２】図１の浴槽の分解斜視図である。
【図３】図１の浴槽の平面図である。
【図４】図１の浴槽のＡ−Ａ断面図である。
【図５】図１の浴槽のＢ−Ｂ断面図である。
【図６】図１の浴槽の被覆部材を取り外す方法を示す断面図である。
【図７】図１の浴槽の被覆部材を取付ける方法を示す断面図である。
【発明を実施するための形態】
【００１３】
本発明の実施の形態に係る浴槽１を図面に従って説明する。
浴槽１は、耐久性、耐腐食性を有するフェノール樹脂から成る浴槽本体２と、浴槽本体２の表面を被覆する檜材からなる被覆部材３、４等から構成されている。
浴槽本体２の構成について説明する。
図２に示す浴槽本体２は４枚のほぼ長方形の側板５、６、７、８と底板９を連結固定して構成されており、上面が開口する箱型を為している。側板５、６、７、８の接合部は、図３に示すように凸部１０と凹部１１が嵌まり合う構成になっている。凸部１０と凹部１１の間には接着剤が充填されており、さらにビス止めされている。
底板９は側板５、６、７、８の下端面より上方に連結固定され、底板９の下側には空間が形成されている。また、底板９には排水口１２が形成されている。
なお、側板５、６、７、８と底板９の縦横の寸法を変えることによって浴槽本体２のサイズを変えることができる。
【００１４】
被覆部材３、４を浴槽本体２の外面と内面に着脱可能に取付ける被覆部材取付手段の構成について説明する。
符号１５はＬ型金具を示し、このＬ型金具１５は平板を幅方向の中心で直角に曲げた形状を為し、下側差込み部としての垂直片１５ａと、水平片１５ｂとを有している。垂直片１５ａと水平片１５ｂには複数のネジ挿通穴１７が形成され、このネジ挿通穴１７は等間隔に配置されている。水平片１５ｂには、ネジ挿通穴１７と対応する位置に雄ネジ１８が複数設けられている。
【００１５】
符号２１は平板金具を示し、この平板金具２１には複数のネジ挿通穴２２が形成され、このネジ挿通穴２２は等間隔に配置されている。
符号２３はスペーサを示し、短寸法のパイプ状を為している。
【００１６】
被覆部材３、４の構成について説明する。
図２、５に示すように、被覆部材３は浴槽本体２の外面を被覆するものであり、ヒノキ材によって構成されている。被覆部材３の下端部には下側溝部２７が形成されており、下側溝部２７は被覆部材３の幅方向に連なっている。この下側溝部２７を境にして、表面側の下端部２９は裏面側の下端部３０より下方に長く延びている。
被覆部材３の上端部の裏面側には上側差込み部としての凸縁３１が形成されており、凸縁３１の裏面側には傾斜部３２が形成されている。
また、図３に示すように、被覆部材３はその幅方向の両端面が傾斜面となっている。
【００１７】
被覆部材４は浴槽本体２の内面を被覆するものであり、長さ寸法が大きいこと以外は被覆部材３と同様の構成を有している。被覆部材４の下端部には下側溝部３３が形成されており、下側溝部３３は被覆部材４の幅方向に連なっている。下側溝部３３を境にして表面側の下端部３５は裏面側の下端部３６より下方に長く延びている。
被覆部材４の上端部の表面側には上側差込み部としての凸縁３７が形成されており、凸縁３７の裏面側には傾斜部３８が形成されている。
また、図３に示すように、被覆部材４は幅方向の両端面が傾斜面となっている。
【００１８】
符号３９は手摺部を示し、この手摺部３９はヒノキ材によって構成される長尺な手摺本体４１、短寸法の手摺本体４２及び手摺本体４１に固定されるコの字型金具２５、手摺本体４２に固定されたコの字型金具（図示せず）によって構成されている。
長尺な手摺本体４１と短寸法の手摺本体４２は、長さ寸法が異なる点を除いて同様の構成を有するので、長尺な手摺本体４１を対象に説明し、短寸法の手摺本体４２については長尺な手摺本体４１と同じ符号を付して、その説明を省略する。
また、コの字型金具２５については長尺な手摺本体４１に固定されるものと短寸法の手摺本体４２に固定されるものは長さ寸法が異なる点を除いて同様の構成を有するので、長尺な手摺本体４１に固定されるコの字型金具２５についてのみ説明し、短寸法の手摺本体４２に固定されるコの字型金具（図示せず）については、その説明を省略する。
【００１９】
長尺な手摺本体４１は、ある程度厚みのある板材で両端面が４５度の角度に切断されている。手摺本体４１の下面には上側凹部４４が形成されており、長手方向に連なっている。上側凹部４４にはその両側に段差部４５ａ、４５ｂが形成され、さらに段差部４６ａ、４６ｂが形成されている。
コの字型金具２５は平板の幅方向の両端を略直角に曲げた形状を為しており、垂直片２５ａ、垂直片２５ｂおよび水平片２５ｃを有している。垂直片２５ａの幅寸法は垂直片２５ｂの幅寸法より大きく形成されている。垂直片２５ａには複数のネジ挿通穴２６が形成され、このネジ挿通穴２６は等間隔に配置されている。
長尺な手摺本体４１の上側凹部４４には、コの字型金具２５が嵌め込まれて、接着剤によって固定されている。
コの字型金具２５の垂直片２５ａと段差部４５ａによって上側溝部４８ａが構成され、コの字型金具２５の垂直片２５ｂと段差部４５ｂによって上側溝部４８ｂが構成されている。
【００２０】
符号４７はシリコーンチューブを示し、シリコーンチューブ４７は段差部４６ａ、４６ｂの長さ寸法と同じ長さに設定されている。シリコーンチューブ４７は手摺本体４１の段差部４６ａ、４６ｂに嵌められ、接着剤によって固定されている。
【００２１】
Ｌ型金具１５のネジ挿通穴１７には雄ネジ４９が挿通され、ネジ挿通穴１７から突出する雄ネジ４９にはスペーサ２３が挿通されている。Ｌ型金具１５は水平な姿勢で浴槽本体２の外面に備えられ、浴槽本体２の下端部から略三分の一の高さに配置される。そして、雄ネジ４９が浴槽本体２の外面にねじ込まれて、Ｌ型金具１５が固定される。雄ネジ４９に挿通されたスペーサ２３によってＬ型金具１５の垂直片と浴槽本体の外面との間には隙間が形成され、この隙間によって開放部５１が構成される。
【００２２】
平板金具２１のネジ挿通穴２２には雄ネジ４９が挿通され、ネジ挿通穴２２から突出する雄ネジ４９にはスペーサ２３が挿通されている。平板金具２１は水平な姿勢で浴槽本体２の内面に備えられ、浴槽本体２の底板９から僅かに離間する高さに配置される。そして、雄ネジ４９が浴槽本体２の内面にねじ込まれて、平板金具２１が固定される。雄ネジ４９に挿通されたスペーサ２３によって平板金具２１と浴槽本体の内面との間には隙間が形成され、この隙間によって開放部５２が形成される。
【００２３】
手摺部３９のコの字型金具２５は浴槽本体２の上端部に嵌められており、水平片２５ｃ、垂直片２５ａ、垂直片２５ｂは浴槽本体２の上端面、外面、内面にそれぞれ当接する。
垂直片２５ａのネジ挿通穴２６には雄ネジ５３が挿通され、雄ネジ５３は浴槽本体２にねじ込まれている。これにより手摺部３９が浴槽本体２の上端部に固定される。この状態では、長尺な手摺本体４１と短寸法の手摺本体４２の端面どうしが接合して、枠状の手摺部３９が構成される。
【００２４】
被覆部材３の下側溝部２７には、下側差込み部としての垂直片１５ａの上端部が嵌り込んでいる。被覆部材３の凸縁３１は長尺な手摺本体４１の上側溝部４８ａに差し込まれるように配置されている。凸縁３１の上端面から段差部４５ａの天部の間には空間部５７が形成されている。この空間部５７の上下方向の寸法は、垂直片１５ａが下側溝部２７に差し込まれている部分の上下方向の寸法より大きく形成されている。また、凸縁３１は上側溝部４８ａに差し込まれた状態において多少のガタを有している。
なお、シリコーンチューブ４７が設けられているので、手摺本体４１の段差部４６ａ、４６ｂと被覆部材３、４との間の隙間を埋めることができ、浴槽１に湯を張ったとき、被覆部材３、４が浮いてしまうのを防止できる。
【００２５】
被覆部材３の上部裏面側と浴槽本体２の上部表面側の間には、コの字型金具２５の垂直片２５ａが配置されているので、被覆部材３の裏面と浴槽本体２の表面との間には隙間５５が形成される。この隙間５５は開放部５１に連通している。
なお、被覆部材３の裏面側の下端部３０とスペーサ２３との間にも僅かな隙間が開いている。
図３に示すように、被覆部材３は幅方向の両端面に形成された傾斜面同士を重ね合わせるようにして浴槽本体２を被覆しており、被覆部材３同士は互いにわずかな隙間を開けて配置されている。
【００２６】
また、被覆部材４の下側溝部３３には、被覆部材３と同様に下側差込み部としての平板金具２１の上端部が嵌り込んでいる。被覆部材４の凸縁３７は長尺な手摺本体４１の上側溝部４８ｂに差し込まれるように配置されている。凸縁３７の上端面と段差部４５ｂの天部との間には空間部６２が形成されている。この空間部６２の上下方向の寸法は、平板金具２１が下側溝部３３に差し込まれている部分の上下方向の寸法より大きく形成されている。また、凸縁３７は上側溝部４８ｂに差し込まれた状態において多少のガタを有している。
【００２７】
被覆部材４の上部裏面側と浴槽本体２の上部表面側の間には、コの字型金具２５の垂直片２５ｂが配置されているので、被覆部材４の裏面と浴槽本体２の表面との間には隙間６１が形成される。この隙間６１は開放部５２に連通している。
なお、被覆部材４の裏面側の下端部３６とスペーサ２３との間にも僅かな隙間が開いている。
図３に示すように、被覆部材４は幅方向の両端面に形成された傾斜面同士を重ね合わせるようにして浴槽本体２を被覆しており、被覆部材４同士はわずかに余裕をもって配置されている。
Ｌ型金具１５、平板金具２１、コの字型金具２５、スペーサ２３、及び雄ネジ４９によって被覆部材取付手段が構成されている。
【００２８】
浴槽１の設置について説明する。
図４に示すように、浴槽本体２は床６７に設けられた凹部６５内の基礎部６６に設置される。そして、浴槽本体２の排水口１２には、図示しない排水管が接続される。
また、浴槽本体２の外面に固定されたＬ型金具１５の水平片１５ｂは浴室の床６７より僅かに低い位置に備えられ、この水平片１５ｂにはグレーチング６８の一端部が支持され、他端部は床６７の段差部６９に支持される。そして、水平片１５ｂに螺合された雄ネジ１８を回して、その突出寸法を変更することで、グレーチング６８の水平を調整することができる。
水平片１５ｂと雄ネジ１８によってグレーチング支持部が構成されている。
【００２９】
被覆部材３、４、手摺本体４１がヒノキ材で構成されているため、檜風呂のような外観を有している。しかも、浴槽１を使用すると、檜風呂に浸かっているかのような木の温もり、香気を得ることができる。
浴槽１は、開放部５１、５２、隙間５５、６１が形成されているため、水が下方へ抜ける。従って、浴槽１のいずれの部分にも水が滞留するのを防止することができる。よって、浴槽１を衛生的に使用することができ、更に、被覆部材３、４の腐食等を抑制することが可能である。
【００３０】
被覆部材３、４の交換方法について図６、７に従って説明する。
前記被覆部材３同士は互いにわずかな隙間を開けて配置されているので、図６（Ａ）に示すように、この隙間に指を入れ被覆部材３を持ち上げ、下側溝部２７を垂直片１５ａから外す。
次に、図６（Ｂ）に示すように被覆部材３を持ち上げたまま状態で、下端部を同図において時計回り方向（手前方向）へ動作するように引いて、被覆部材３の下側溝部２７を垂直片１５ａの上端部に対向する位置からずらす。
そして、図６（Ｃ）に示すように、被覆部材３を斜め下方へ引いて、凸縁３１を上側溝部４８ａから外して、被覆部材３を浴槽本体２から取り外す。同様にして全ての被覆部材３を浴槽本体２から取り外す。
また、被覆部材４も、被覆部材３と同様の手順で下側溝部３３を平板金具２１の上端部から外し、更に凸縁３７を上側溝部４８ｂから外して、被覆部材４を浴槽本体２から取り外す。
【００３１】
すべての被覆部材３、４を浴槽本体２から外してから、新しい被覆部材３、４を浴槽本体２に装着する。
すなわち、新しい被覆部材３の持ち、図７（Ａ）において矢印で示すように、斜め下方から上側溝部４８ａに差し込む。
次に、凸縁３１を上側溝部４８ａに押し付けるようにしながら、図７（Ｂ）において矢印で示すように被覆部材３の下端部を反時計回り方向（奥方向）に押して、被覆部材３の下側溝部２７を垂直片１５ａの上端部を対向させる。
そして、図７（Ｃ）に示すように、被覆部材３を下して下側溝部２７を垂直片１５ａに嵌める。同様に全ての被覆部材３を取り付ける。
また、被覆部材４も、被覆部材３と同様の手順で凸縁３７を上側溝部４８ｂへ嵌め、下側溝部３３を平板金具２１の上端部に嵌めて、被覆部材４を浴槽本体２に取り付ける。
以上のように、本発明の浴槽１は被覆部材３、４を交換するだけで、浴槽そのものを交換することなく新品同様の状態にすることができる。
【００３２】
以上、本発明の実施の形態について詳述してきたが、具体的構成は、この実施の形態に限られるものではなく、本発明の要旨を逸脱しない範囲における設計の変更などがあっても発明に含まれる。
例えば、本実施の形態ではフェノール樹脂から成る浴槽本体２を使用したが、耐久性、耐腐食性を有する材料から成る浴槽本体であればよく、例えば金属製でもよい。
また、本実施の形態では被覆部材としてヒノキ材を使用したが、スギ、クスノキ等、他の種類の木材を使用してもよい。
上記実施の形態ではシリコーンチューブ４７を用いたが、構成材料はこれに限定されず、シリコーン以外の合成樹脂、さらには合成樹脂以外のものを用いてもよく、また、形状はチューブ状に限らず、細長い形状のものであれば中実のものでもよい。
【産業上の利用可能性】
【００３３】
浴槽の製造業などに利用可能性を有する。
【符号の説明】
【００３４】
１…浴槽    ２…浴槽本体  ３、４…被覆部材    ５、６、７、８…側板
９…底板    １０…凸部    １１…凹部    １２…排水口    １５…Ｌ型金具
１５ａ…垂直片    １５ｂ…水平片    １７…ネジ挿通穴    １８…雄ネジ
２１…平板金具    ２２…ネジ挿通穴    ２３…スペーサ
２５…コの字型金具    ２５ａ、２５ｂ…垂直片    ２５ｃ…水平片
２６…ネジ挿通穴    ２７…下側溝部    ２９、３０…下端部    ３１…凸縁
３２…傾斜部    ３３…下側溝部    ３５、３６…下端部    ３７…凸縁
３８…傾斜部    ３９…手摺部    ４１…長尺な手摺本体
４２…短寸法の手摺本体    ４４…上側凹部    ４５ａ、４５ｂ…段差部
４６ａ、４６ｂ…段差部    ４７…シリコーンチューブ
４８ａ、４８ｂ…上側溝部    ４９…雄ネジ    ５１、５２…開放部
５３…雄ネジ    ５５…隙間    ５７…空間部    ６１…隙間
６２…空間部    ６５…凹部    ６６…基礎部    ６７…床
６８…グレーチング    ６９…段差部
【図１】
2014079484.tif 000003
【図２】
2014079484.tif 000004
【図３】
2014079484.tif 000005
【図４】
2014079484.tif 000006
【図５】
2014079484.tif 000007
【図６】
2014079484.tif 000008
【図７】
2014079484.tif 000009